(57)【要約】【課題】  取付け用貫通穴のないステータと磁心とで形成された磁気回路構成体を、前記ステータと磁心の位置決めを確保しながら地板に固定すること。【解決手段】  ステータは、地板に形成された２個のステータガイドに沿って配置されている。磁心は、その両端部をステータの両端部に重ね合わせ、且つ地板に形成された２対の磁心ガイドに沿って配置されている。押え板は磁心の上に配置されている。取付けねじによって押え板を地板にねじ締めすると、取付け穴の左右に延伸した一対の押え腕が磁心とステータの面接触部を地板に押え付け、これによって磁気回路構成体を地板に固定する。【選択図】  図１
2005323428.tif 000002
【特許請求の範囲】
【請求項１】
ステータと磁心を両脚部で面接触させて形成した磁気回路構成体を有し時計のムーブメントの地板に固定されるステップモータにおいて、
前記ステータは、前記地板に形成されたステータガイドに沿って配置し、
前記磁心は、前記地板に形成された磁心ガイドに沿って配置し、
前記ステータと前記磁心は、押え板によって押え付け且つねじ締めによって前記地板に固定されることを特徴とするステップモータ。
【請求項２】
ステータと磁心の両脚部を重ね合わせ面接触させて形成した磁気回路構成体を有し時計のムーブメントの地板に固定されるステップモータにおいて、
前記地板に形成された２個のステータガイドに沿って配置された前記ステータと地板に形成された左右各一対の磁心ガイドに沿って配置された前記磁心を、ねじ穴の左右に延伸した一対の押え腕を有する押え板によって押え付け且つ前記ねじ穴を介して取付ねじによって地板にねじ締めしたことを特徴とするステップモータ。
【請求項３】
ステータと磁心の両脚部を重ね合わせ面接触させて形成した磁気回路構成体を有し時計のムーブメントの地板に固定されるステップモータにおいて、
前記地板に形成された２個のステータガイドに沿って配置された前記ステータと前記地板に形成された一対の磁心ガイドに沿って配置された前記磁心を、ネジ穴の左右に延伸した一対の押え腕と１個の位置決め腕を有する押え板によって押え付け且つ前記ねじ穴を介して取付けねじによって地板にねじ締めしたことを特徴とするステップモータ。
【請求項４】
前記位置決め腕は前記一対の押え腕のいずれか一方もしくは両方の一部を利用して形成されているものであることを特徴とする請求項３に記載されたステップモータ。
【請求項５】
ステータと磁心の両脚部を重ね合わせ面接触させて形成した磁気回路構成体を有し時計のムーブメントの地板に固定されるステップモータにおいて、
前記地板に形成された１個のステータガイドに沿って配置された前記ステータと前記地板に形成された左右各一対の磁心ガイドに沿って配置された前記磁心を、ねじ穴の左右に延伸した一対の押え腕と１個の位置決め腕を有する押え板によって押え付け且つ前記ねじ穴を介して取付けねじによって地板にねじ締めしたことを特徴とするステップモータ。
【請求項６】
前記位置決め腕は前記ねじ穴から前記一対の押え腕に対して直角に延伸して形成されたものであることを特徴とする請求項５に記載されたステップモータ。
【請求項７】
ステータと磁心の両脚部を平面的に面接触させて形成した磁気回路構成体を有し時計のムーブメントの地板に固定されるステップモータにおいて、
前記地板に形成された２個のステータガイドに沿って配置された前記ステータと前記地板に形成された左右各一対の磁心ガイドに沿って配置された前記磁心を、ねじ穴の左右に延伸した一対の外周方向押え腕を有する磁心押え板と一対の内周方向押え腕を有するステータ押え板によって押え付け且つ前記ねじ穴を介して取付けねじによって地板にねじ締めしたことを特徴とするステップモータ。
【請求項８】
前記ステータは幅広の略直線部と幅広の両脚部とを有する略Ｕ字型磁性部品であり、前記磁心は細長い直線部と幅広の両脚部とを有する略Ｕ字型磁性部品であることを特徴とする請求項１乃至７のいずれか一つに記載されたステップモータ。
【請求項９】
請求項１乃至７のいずれか一つに記載されたステップモータを備えたことを特徴とする電子時計。
【発明の詳細な説明】
【技術分野】
【０００１】
本発明は、ステータと磁心付コイルの磁心の端部を面接触させて形成された磁気回路構成体を有するステップモータ及び電子時計に関する。
【背景技術】
【０００２】
アナログ電子時計の駆動源には、一般にステップモータが採用されている。このステップモータは、例えば図６に示す如く、ステータ３、磁心４、コイル５、及びロータ６を備えている。ステータ３は、幅広の略直線部と幅広の両端部を有する略Ｕ字型の板状の磁性部品であって、前記幅広の略直線部にはその中間部から一方側に多少偏った位置にロータ収容穴が形成されている。磁心４は細長い直線部と幅広の両端部を有する略Ｕ字型の磁性部品であって、前記細長い直線部にはコイル５が巻回されており、幅広の両端部にはねじピン用貫通穴が形成されている。ステータ３の両端部は、磁心４の幅広の両端部にそれぞれ対応した大きさと面積の幅広の形状である。ステータ３の両端部には、ねじピン用貫通穴が形成されている。
【０００３】
コイル５が巻回された磁心４は、その両端部をステータ３の両端部にそれぞれ重ね合わされている。この場合、磁心４の幅広の両端部のねじピン用貫通穴は、ステータ３の幅広の両端部のねじピン用貫通穴にそれぞれ位置合わせされている。このような配置によって、ステータ３と磁心４は略楕円形の磁性体部品を構成する。即ち、略Ｕ字型の磁性材の板状部品であるステータ３と磁心４は、その両端を面接触させて結合されて、ステップモータの磁気回路構成体を形成する。ロータ６は円盤状永久磁石が固定された部品であり、ステータ３のロータ収容穴に回転自在に収容され、地板１と輪列受２によって支持されている。
【０００４】
地板１には、円筒状突起のステータガイド９が所定の位置に形成されている。また、地板１には、所定の位置に形成された貫通穴に一対のねじピン８、８が下方から圧入されて突設されている。上述の構造のステップモータを、時計の地板１に取付ける手順は次の通りである。先ず、ステータ３を地板１に配置する。この場合、ステータ３の幅広の略直線部に形成されたロータ収納穴には地板１に形成されたステータガイド９が嵌入し、同時に、ステータ３の両端部に形成されたねじピン用貫通穴には地板１に突設されたねじピン８、８がそれぞれ嵌入する。
【０００５】
次に、コイル５が巻回された磁心４を、そのねじピン用貫通穴にねじピンねじピン８、８がそれぞれ嵌入するように位置合わせし、ステータ３の両端部にその両端部を重ね合わせて配置する。続いて、止めねじ７、７をねじピン８、８にねじ込んで、ステータ３と磁心４の両端部を所定の接触力で面接触させ、同時にコイル５が巻回された磁心４とステータ３を地板１に固定する。最後に、ロータ６をステータ３のロータ収納穴に配置し、輪列受２と地板１によって回転自在に支持する。なお、図６に示すような構造のステップモータを備えた電子時計は、特開２００１−７４８６２号公報（特許文献１）に開示されている。
【０００６】
ところで、前記止めねじ７、７はステップモータのステータ３と磁心４を地板１の所定の位置に強固に取付けるために、或る程度大きな直径のものでなければならない。このため、ステータ３の幅広の両端部のねじピン用貫通穴も、磁心４の幅広の両端部のねじピン用貫通穴も、或る程度の直径のものとならざるを得ない。図６においては、ねじピン用貫通穴はステータ３の幅広の両端部の面積の概ね３０％を占めている。同様に、ねじピン用貫通穴も磁心４の幅広の両端部の面積の概ね３０％を占めている。
【０００７】
ステータ３と磁心４の２つの磁性部品の両端部を面接触させて結合して形成された磁気回路構成体において、ねじピン用貫通穴は前記２つの磁性部品の両端部を面接触には寄与しないものである。このため、前記磁気回路構成体はこれらのねじピン用貫通穴の面積分だけサイズが大きくなっているのである。これらのねじピン用貫通穴は、ステータ３と磁心４の２つの磁性部品の両端部を面接触させて結合すること、及びこれらの磁性部品を地板１に固定するために必要なものであるが、前記磁気回路構成体のサイズを大きくさせているという問題がある。このことは、電子時計用のステップモータを更に小型化する場合の障害となっている。そこで、取付け用貫通穴のないステータと磁心とで形成された磁気回路構成体を有する時計用のステップモータの実現が要求されるようになった。
【特許文献１】特開２００１−７４８６２号公報
【発明の開示】
【発明が解決しようとする課題】
【０００８】
本発明が解決しようとする課題は、取付け用貫通穴のないステータと地板への取付け用貫通穴のない磁心とで形成された磁気回路構成体を有する時計用のステップモータにおいて、前記磁心の位置決めを確保しながら前記磁気回路構成体を地板に固定することである。
【課題を解決するための手段】
【０００９】
上記課題を解決するために、地板への取付け用貫通穴のないステータと地板への取付け用貫通穴のない磁心とで形成された磁気回路構成体を有する時計用のステップモータにおいて、地板に形成されたステータガイドに沿って配置された前記ステータと磁心ガイドとに沿って配置された磁心を、腕の付いた押え板によって地板に押え付けて固定するようにした。
【発明の効果】
【００１０】
本発明に係るステップモータは、地板への取付け用貫通穴のないステータと地板への取付け用貫通穴のない磁心とで形成された磁気回路構成体を備えるものであるが、組込みに際しては前記ステータと磁心は外周でガイドされるために、組込性の向上が図られた。また、地板への取付け用貫通穴を設けないことによって、それぞれの部品の両端部の面積を前記取付け用貫通穴の面積分だけ小さくすることができた。因みに、地板への取付け用貫通穴をいずれも有する従来のステータと磁心と比較すると、約２０％も面積を削減できた。このため、ステップモータの更なる小型化・薄型化が可能となり、輪列レイアウトの自由度が増加し、更に、ムーブメント自体のサイズも小さくすることが可能となった。
【００１１】
また、地板への取付け用貫通穴がないステータと磁心は、穴加工時に生じるダレ等がない接触面を有するステータと磁心であるから、これら両部品で形成された磁気回路構成体の接触部の接触効率が向上した。更に、ステータと磁心に穴加工を要しないので、部品加工のコストも低減することができた。
【発明を実施するための最良の形態】
【００１２】
本発明に係るステップモータは、取付け用貫通穴がないステータと地板への取付け用貫通穴のない磁心を両脚部で面接触させて形成した磁気回路構成体を有するものである。前記ステータは幅広の略直線部と幅広の両脚部とを有する略Ｕ字型磁性部品であり、前記磁心は細長い直線部と幅広の両脚部とを有する略Ｕ字型磁性部品である。そして、前記ステータは地板に形成されたステータガイドに沿って配置され、前記磁心は地板に形成された磁心ガイドに沿って配置され、更に、押え板によって押え付けられ且つねじ締めによって地板に固定されている。
【実施例１】
【００１３】
実施例１のステップモータは、図１に示す如く、ステータ３と磁心４の両脚部を重ね合わせ面接触させて形成した磁気回路構成体とロータ６を有するものであって、ステータ３は地板１に形成された２個のステータガイド９と１０に沿って配置され、磁心４は地板１に形成された左右各一対の磁心ガイド１１に沿って配置されているものである。そして、このように配置されたステータ３と磁心４は、ねじ穴１２ａの左右に延伸した左側押え腕１２ｂと右側押え腕１２ｃを有する押え板１２によって押え付けられ、且つねじ穴を介して取付けねじ７によって地板１にねじ締めされている。  
【００１４】
即ち、実施例１のステップモータは、ステータ３、磁心４、コイル５、及びロータ６を備えている。ステータ３は、幅広の略直線部と幅広の両脚部を有する略Ｕ字型磁性部品であって、前記幅広の略直線部にはその中間部から一方側に多少偏った位置にロータ収容穴が形成されている。磁心４は細長い直線部と幅広の両脚部を有する略Ｕ字型磁性部品であって、前記細長い直線部にはコイル５が巻回されている。ステータ３の両脚部は、磁心４の幅広の両脚部にそれぞれ対応した形状と面積を有する。
【００１５】
コイル５が巻回された磁心４は、その両脚部をステータ３の両脚部にそれぞれ重ね合わされている。このような配置によって、ステータ３と磁心４は略楕円形の磁性体部品を構成する。即ち、いずれも略Ｕ字型の磁性材の板状部品であるステータ３と磁心４は、その両脚部を重ね合わせて面接触させられ、ステップモータの磁気回路構成体を形成する。ロータ６は円盤状永久磁石が固定された部品であり、ステータ３の前記ロータ収容穴に回転自在に収容され、地板１と輪列受２によって支持されている。
【００１６】
地板１には、円筒状突起のステータガイド９と帯状位置規制部材のステータガイド１０が所定の位置にそれぞれ形成されている。また、地板１には、左右各一対の磁心ガイド１１が形成されている。磁心ガイド１１は、略Ｕ字型の磁心の外形に対応した位置関係を有する。更に、地板１には、前記磁気回路構成体を取付けるためのネジピン８が突設されている。ネジピン８が突設される位置は、前記磁気回路構成体が取付けられる領域のほぼ中央部である。
【００１７】
ステータ３と磁心４の両脚部を所望の接触力で面接触させるために、一対の押え腕を有する押え板１２が用いられている。押え板１２は、細長い帯状のばね性の板部材であって、その幅広の中間部にはねじ穴１２ａが形成されている。押え板１２は、前記中間部を頂点にして湾曲し、且つ、その一対の押え腕１２ｂと１２ｃの端部が磁心４の両脚部の上面に位置するような長さに選定されている。ネジ７をねじピン８に螺合させることによって、押え板１２はステータ３と磁心４の両脚部を所望の接触力で面接触させ、同時にステップモータを地板１に固定する。
【００１８】
上述の構造のステップモータを、時計の地板１に取付ける手順は次の通りである。先ず、ステータ３をステータガイド９と１０に沿って地板１に配置する。この場合、ステータ３の幅広の略直線部に形成されたロータ収納穴には地板１に形成されたステータガイド９が嵌入し、同時に、ステータ３の幅広の略直線部の一部は地板１に形成されている帯状の位置規制部材のステータガイド１０に嵌入する。これによって、ステータ３は地板１の所定の位置に配置される。
【００１９】
次に、コイル５が巻回された磁心４を、左右各一対の磁心ガイド１１に沿って配置する。すると、磁心４の両脚部はステータ３の両脚部に重ね合わせられる。続いて、押え板１２を、そのねじ穴をねじピン８に合わせ、且つ磁心４の直線部に平行に配置する。そして、ねじ７を押え板１２のねじ穴に差し込み、ねじピン８に螺合し、ねじ締めする。すると、押え板１２の一対の押え腕の端部は、磁心４の両脚部をステータ３の両脚部に押え付け、これら両脚部を所望の接触力で面接触させる。同時に、磁心４とステータ３は地板１に固定され、従って磁心４とステータ３を備えたステップモータは地板１に固定される。
【００２０】
図５は、実施例１のステップモータを備えた携帯型アナログ電子時計の平面図である。但し、本発明に直接関係しない部品は省略してある。即ち、この携帯型アナログ電子時計は、ステータ３と磁心４の両脚部を重ね合わせ面接触させて形成した磁気回路構成体とロータ６を有するステップモータを有するものであって、前記ロータ６の回転は輪列によって減速され、秒針、分針、時針をそれぞれ回転させるものである。前記輪列は、５番車２１、４番車２２、３番車２３を含む。また、前記携帯型アナログ電子時計は、日の裏車２４を含むカレンダー機構を備えている。
【実施例２】
【００２１】
実施例２のステップモータの基本的構成は実施例１と同じである。即ち、実施例２のステップモータは、図２に示す如く、ステータ３と磁心４の両脚部を重ね合わせ面接触させて形成した磁気回路構成体とロータ６を有するものである。ステータ３は、幅広の略直線部と幅広の両脚部を有する略Ｕ字型磁性部品であって、前記幅広の略直線部にはその中間部から一方側に多少偏った位置にロータ収容穴が形成されている。磁心４は細長い直線部と幅広の両脚部を有する略Ｕ字型磁性部品であって、前記細長い直線部にはコイル５が巻回されている。ステータ３の両脚部は、磁心４の幅広の両脚部にそれぞれ対応した形状と面積を有する。
【００２２】
ステータ３は実施例１と同じく、地板１に形成された２個のステータガイド９と１０に沿って配置されている。磁心４は実施例１と異なり、地板１に形成された左側の一対の磁心ガイド１１に沿って配置されている。そして、このように配置されたステータ３と磁心４は、押え板１３によって押え付けられ、且つ取付けねじによって地板１にねじ締めされている。
【００２３】
押え板１３は、実施例１の押え板１２と構造が異なり、ネジ穴１３ａの左右に延伸した一対の押え腕と１個の位置決め腕を有するものである。即ち、押え板１３は、幅広の中間部、左側押え腕１３ｂ、右側押え腕１３ｃ、及び位置決め腕１３ｄを有する細長い帯状のばね性の板部材で、前記中間部を頂点にして湾曲したばね性の板部材である。位置決め腕１３ｄは左側押え腕１３ｂと平行な腕であり、押え板１３の左側延伸部を前記中間部の幅と同じにし、且つ短冊状に三分割し、中間の短冊部を利用して形成されている。位置決め腕１３ｄである中間の短冊部の両側の短冊部は、左側押え腕１３ｂを構成する。位置決め腕１３ｄは、その端部近傍で略直角に折り曲げられた端部を有する。
【００２４】
押え板１３の前記中間部にねじ穴１３ａが形成されている。左側押え腕１３ｂと右側押え腕１３ｃの端部が磁心４の左右の脚部の上面に位置するような長さに選定され、同時に、位置決め腕１３ｄの折り曲げられた端部は磁心４の左脚部の上縁に当接するような長さに選定されている。ネジ７をねじピン８に螺合させることによって、押え板１３の左側押え腕１３ｂと右側押え腕１３ｃは磁心４の左右の脚部をステータ３の対応する脚部に押付け、これらを所望の接触力で面接触させ、同時にステップモータを地板１に固定する。更に、押え板１３の位置決め腕１３ｄは、磁心４の左脚部を左側の一対の磁心ガイド１１に押付け、磁心４を所定の位置に保持する。
【実施例３】
【００２５】
実施例３のステップモータの基本的構成は実施例１と同じである。即ち、実施例３のステップモータは、図３に示す如く、ステータ３と磁心４の両脚部を重ね合わせ面接触させて形成した磁気回路構成体とロータ６を有するものである。ステータ３は、幅広の略直線部と幅広の両脚部を有する略Ｕ字型磁性部品であって、前記幅広の略直線部にはその中間部から一方側に多少偏った位置にロータ収容穴が形成されている。磁心４は細長い直線部と幅広の両脚部を有する略Ｕ字型磁性部品であって、前記細長い直線部にはコイル５が巻回されている。ステータ３の両脚部は、磁心４の幅広の両脚部にそれぞれ対応した形状と面積を有する。
【００２６】
ステータ３は実施例１と異なり、地板１に形成された１個のステータガイド９に沿って配置されている。磁心４は実施例１と同じく、地板１に形成された左右一対の磁心ガイド１１に沿って配置されている。そして、このように配置されたステータ３と磁心４は、押え板１４によって押え付けられ、且つ取付けねじによって地板１にねじ締めされている。
押え板１４は、実施例１の押え板１２と構造が異なり、ネジ穴の左右に延伸した一対の押え腕と１個の位置決め腕を有するものである。即ち、押え板１４は、幅広の中間部、左側押え腕１４ｂ、右側押え腕１４ｃ、及び位置決め腕１４ｄを有するＴ字形のばね性の板部材で、前記中間部を頂点にして左右に湾曲したばね性の板部材である。位置決め腕１４ｄは、前記中間部からステータ３の略直線部を横切って延伸した腕である。
【００２７】
押え板１４の前記中間部にねじ穴１４ａが形成されている。押え板１４は、左側押え腕１４ｂと右側押え腕１４ｃの端部が磁心４の左右の脚部の上面に位置するような長さに選定され、同時に、位置決め腕１４ｄの端部がステータ３の略直線部の外側上縁に当接するような長さに選定されている。ネジ７をねじピン８に螺合させることによって、押え板１４の左側押え腕１４ｂと右側押え腕１４ｃは磁心４の左右の脚部をステータ３の対応する脚部に押付け、これらを所望の接触力で面接触させ、同時にステップモータを地板１に固定する。更に、押え板１４の位置決め腕１４ｄは、ステータ３を所定の位置に保持する。
【実施例４】
【００２８】
実施例４のステップモータは、薄型化を図るのに適したものであり、磁気回路構成体が実施例１とかなり相違する。即ち、実施例４のステップモータは、図４に示す如く、ステータ３と磁心４の両脚部を平面的に面接触させて形成した磁気回路構成体と、ロータ６を有するものである。ステータ３は、幅広の略直線部と幅広の両脚部を有する略Ｕ字型磁性部品であって、前記幅広の略直線部にはその中間部から一方側に多少偏った位置にロータ収容穴が形成されている。ステータ３と磁心４は、ステータ３の両脚部の外側面が磁心４の両脚部の内側面に面接触するように、そのサイズと形状が選定されている。また、ステータ３の両脚部の先端は、磁心４の直線部に巻回されたコイル５に接触する直前の位置まで延びている。
【００２９】
ステータ３は実施例１と同様に、地板１に形成された２個のステータガイド９と１８に沿って配置されている。磁心４は実施例１と同じく、地板１に形成された左右一対の磁心ガイド１７に沿って配置されている。そして、このように配置されたステータ３と磁心４は、磁心押え板１５とステータ押え板１６によって押え付けられ、且つ取付けねじ７によって地板１にねじ締めされている。
【００３０】
磁心押え板１５は、幅広の中間部に形成されたネジ穴１５ａの左右に延伸した左側押え腕１５ｂと右側押え腕１５ｃを有する帯状の板部材であって、前記中間部を頂点にして左右に湾曲したばね性の板部材である。磁心押え板１５は、左側押え腕１５ｂと右側押え腕１５ｃの端部が磁心４の左右の脚部の上面の外側縁部に位置するような長さに選定されている。また、ステータ押え板１６は、幅広の中間部に形成されたネジ穴１６ａの左右に延伸した左側押え腕１６ｂと右側押え腕１６ｃを有する帯状の板部材であって、前記中間部を頂点にして左右に湾曲したばね性の板部材である。ステータ押え板１６の左側押え腕１６ｂと右側押え腕１６ｃは、その端部近傍で略直角に折り曲げられた端部をそれぞれ有する。ステータ押え板１６は、左側押え腕１６ｂと右側押え腕１６ｃの折り曲げられた端部がステータ３の左右の脚部の内側の上縁に当接するような長さに選定されている。
【００３１】
ネジ７をねじピン８に螺合させることによって、磁心押え板１５の左側押え腕１５ｂと右側押え腕１５ｃは磁心４の左右の脚部を内側に押圧し、同時に、ステータ押え板１６の左側押え腕１６ｂと右側押え腕１６ｃはステータ３の左右の脚部を外側に押圧する。従って、磁心４の左右の脚部の内側面とステータ３の左右の脚部の外側面は相互に押付けられ、所望の接触力で面接触させられる。これと同時に、ステップモータは地板１に固定される。更に、ステータガイド９と１８によってガイドされているステータ３は、所定の位置に保持される。
【図面の簡単な説明】
【００３２】
【図１】本発明の実施例１のステップモータの平面図（Ａ）と断面図（Ｂ）である。
【図２】本発明の実施例２のステップモータの平面図（Ａ）と断面図（Ｂ）である。
【図３】本発明の実施例３のステップモータの平面図（Ａ）と断面図（Ｂ）である。
【図４】本発明の実施例４のステップモータの平面図（Ａ）と断面図（Ｂ）である。
【図５】本発明の実施例１のステップモータを備えた携帯型アナログ電子時計の要部平面図である。
【図６】従来のステップモータの平面図（Ａ）と断面図（Ｂ）と（Ｃ）である。
【符号の説明】
【００３３】
１  地板
２  輪列受
３  ステータ
４  磁心
５  コイル
６  ロータ
７  ねじ
８  ねじピン
９、１０、１８  ステータガイド
１１、１７  磁心ガイド
１２  押え板
１２ａ  ネジ穴
１２ｂ  左側押え腕
１２ｃ  右側押え腕
１３  押え板
１３ａ  ネジ穴
１３ｂ  左側押え腕
１３ｃ  右側押え腕
１３ｄ  位置決め腕
１４  押え板
１４ａ  ネジ穴
１４ｂ  左側押え腕
１４ｃ  右側押え腕
１４ｄ  位置決め腕
１５  磁心押え板
１５ａ  ネジ穴
１５ｂ  左側押え腕
１５ｃ  右側押え腕
１６  ステータ押え板
１６ａ  ネジ穴
１６ｂ  左側押え腕
１６ｃ  右側押え腕
２１  ５番車
２２  ４番車
２３  ３番車
２４  日の裏車
【図１】
2005323428.tif 000003
【図２】
2005323428.tif 000004
【図３】
2005323428.tif 000005
【図４】
2005323428.tif 000006
【図５】
2005323428.tif 000007
【図６】
2005323428.tif 000008